(57)【要約】 【課題】後方進入の経皮的内視鏡下頸椎椎間板ヘルニア切除術において脊椎経皮的内視鏡の作業用内腔には一本の器具しか挿入できないことから神経をよけて安全に椎間板ヘルニアを摘出することができなかった。【解決手段】当発明の内レトラクター器具は作業用内腔よりわずかに小径でそこに挿入可能な円筒で，内レトラクター器具の内腔に鉗子を挿入でき，その先端部は４分の１円の細いヘラ状になっている．頸椎脊柱管内のわずかな安全領域にてレトラクターと鉗子の二本による操作を可能として手術を安全に行うことが可能となる．【選択図】図７
2020022553.tif 000002
【特許請求の範囲】
【請求項１】
脊椎経皮的内視鏡の作業用内腔の内径よりわずかに小さい外径の円筒で内腔を有し，
先端側は前記円筒が欠成されて２分の１円未満のヘラ状になっており，
手元側には前記円筒の外径を逸脱する大きさのハンドル部を有することを特徴とする脊椎経皮的内視鏡下手術用器具．
【発明の詳細な説明】
【技術分野】
【０００１】
本発明は、頸椎椎間板ヘルニアに対する脊椎経皮的内視鏡下手術において使用する手術器具に関するものである。
【背景技術】
【０００２】
脊椎経皮的内視鏡１とは図１，図３のように体内に挿入する部分である本体部分１aは外径約６mm弱から７mm弱程の細長い円柱で，そのなかは鏡筒１a１と光源路１a２と潅流水路１a３と作業用内腔１a４が一体となったもので，カメラ接続部１bにカメラを接続し，内視鏡先の状況を拡大してモニターに写し，微細な部分まで視認しながら，作業用内腔１a４に挿入した鉗子３（図１，２，５）やドリル等の器具にて操作する手術器具である．鉗子３の基本形状は，円筒状の作業用内腔１a４に挿入できる円柱形である．脊椎経皮的内視鏡の本体部分１aの外径よりわずかに大きな内径で外径が7mmから8mm程の円筒形の外筒２を小皮切から脊椎へ挿入し，そのなかに脊椎経皮的内視鏡１の本体部分１aを挿入し，外筒２の先端部により脊椎経皮的内視鏡先の空間を確保しながら作業を行う．皮膚切開も長さ６〜７mmと小さく，表皮から脊椎に至る経路の侵襲も最小限にできる．
【０００３】
図４に後方進入頸椎椎間板ヘルニア切除術における進入経路Ｐを示す．背側から表皮Ｓを切開し，皮下や筋層を貫き，椎弓骨Ｖを部分的に切除し脊柱管（椎弓骨Ｖや椎間板Ｄや椎体に囲まれた管腔で，内部に硬膜管Ｃや神経根Ｒ等が通る所）に到達する．脊柱管内の黄色靭帯を一部切除すると硬膜管Ｃ（硬膜に囲まれた管腔で内部に脊髄や髄液が通る）や神経根Ｒが現れ，さらにそれより深部に椎間板Ｄや椎間板ヘルニアＨがある．
【先行技術文献】
【非特許文献】
【０００４】
【非特許文献１】Richard Wolf社製品カタログ「VERTEBRIS Lumbar-Thoracic Full-endoscopic Spinal Instrumentation」
【発明の概要】
【発明が解決しようとする課題】
【０００５】
脊椎経皮的内視鏡は小径であり，それよりさらに小径の作業用内腔に挿入できる器具は一本に限られ，作業空間は外筒で確保し一本の器具で操作している．しかし頸椎では脊柱管内は脊髄や神経根Ｒでほぼ隙間なく占められており外筒２を安全に挿入できる空間的余裕がなく，外筒２はその手前の椎弓骨Ｖまでの挿入となる．そのため椎間板Ｄ上まで外筒２を挿入できない．後方から見ると神経根Ｒや膜組織が椎間板ヘルニアＨの手前にあり，それらが視野の妨げとなるため椎間板ヘルニアＨを鉗子３で掴む操作が盲目的となり危険な操作となってしまう．安全のためには神経を確実によけながら椎間板ヘルニアを掴む必要があるが，現状では挿入できる器具は一本に限られるため，それができない．
【０００６】
そこで経皮的内視鏡下頸椎椎間板ヘルニア切除術においても作業用内腔にレトラクター（作業対象を視認するため障害となる物をよけるための器具）と鉗子の二本を挿入することを可能にすることを目的とする。
【課題を解決するための手段】
【０００７】
上記課題を解決するために本発明の脊椎経皮的内視鏡下手術用器具の内レトラクター器具は脊椎経皮的内視鏡の作業用内腔の内径よりわずかに小さな外径の円筒で，経皮的的内視鏡より全長が長い．その先端部は４分の１円に欠成されて細いヘラ状となっており４分の３円は開放部分となっている．手元側のハンドル部には前記円筒より外径が太くなって把持し易くなっている．全体は硬性金属製である．
【０００８】
ハンドル部は棒状突起とかの形状も考えられる．
【発明の効果】
【０００９】
内レトラクター器具は，脊椎経皮的内視鏡の作業用内腔に挿入され，小径でさらに先端が４分の１円になっていることで小さな空間にも挿入できる．先端部を脊柱管内の神経の間のわずかな空間に挿入し神経をよけながらも，その開放部分を脊椎経皮的内視鏡の鏡筒先レンズ側に向けることで視野が確保される．そして内レトラクター器具の内腔は円柱貫通内腔となっており，既存の鉗子を挿入できる．内レトラクター器具で神経をよけながら椎間板ヘルニアを鉗子で掴み摘出することが可能となる．つまり脊椎経皮的内視鏡においてレトラクターと鉗子の二本を作業用内腔に挿入して，頸椎脊柱管内という狭い空間ながらも神経よけて椎間板ヘルニアを摘み取ることが可能となる．
【００１０】
例えば先端部分だけでなく全長を４分の１円にする形態も考えられるが，幅がわずか数ミリで長さがその百倍となるため構造上強度が不足し容易にしなってしまい，神経をよけるための剛性が足りない．当発明器具は全体にしなることがなくレトラクターとしての機能を果たしながらもその内腔に既存の鉗子を挿入でき，鉗子とレトラクターの二本の操作が可能となっている．
【００１１】
従来からある外筒の先端形状は様々あり，ヘラ状になっているものもあるが，それらを含め全ての外筒はその中に脊椎経皮的内視鏡を挿入する目的のもので，当発明とは別の目的の器具で，当然だが当発明のよう脊椎椎内視鏡の作業用内腔に挿入できるものではない．また，外筒では径が大きすぎるため当器具のような小さな範囲で使用できるものはない．仮に外筒で当発明と同様の働きをさせようとすると，外筒は大きいので外筒先端部を８分の１円以下の細いヘラ形状にすることが考えられるが，このような外筒では，レトラクターとして働く部分がわずかであり，本来の役割である椎弓骨までの筋組織をよける働きが失われてしまう．神経根Ｒをよけるのは手術の最終段階のみであり，その時だけ使える器具であることが望ましいので，本発明の器具が理想的である．
【図面の簡単な説明】
【００１２】
【図１】既存の脊椎経皮的内視鏡と外筒と鉗子の全体図（挿入前）。
【図２】既存の脊椎経皮的内視鏡用鉗子の先端図。
【図３】既存の脊椎経皮的内視鏡本体部分の断面図。
【図４】頸椎断面の解剖図
【図５】既存の脊椎経皮的内視鏡本体部分の鉗子挿入時の断面図。
【図６】既存の脊椎経皮的内視鏡本体部分の本発明の器具と鉗子の挿入時の軸断図。
【図７】本発明の実施形態１の側面図。
【図８】本発明の実施形態１の軸断図。
【図９】使用時における本発明の器具と脊椎経皮的内視鏡と外筒と鉗子の先端斜視図。
【図１０】本発明の実施形態２の側面図。
【発明を実施するための形態】
【００１３】
本発明の実施形態１を図６〜９を用いて説明する。脊椎経皮的内視鏡１の作業用内腔１a４の内径が4.1mmとすると，本発明の内レトラクター器具４の円筒部４０１の外径はそれよりわずかに小さい4mmの外径の円筒で，脊椎経皮的的内視鏡１の全長が260mmとすると内レトラクター器具４の全長はそれよりも長い300mm程である．先端部４０２は長さ20mm程にわたり４分の１円に欠成され，細いヘラ状となっている．円筒部４０１の手元側にはハンドル部４０３があり，その外径が15mm程と円筒部４０１の外径より大きくなっていて把持しやすくなっている．
【００１４】
本発明の実施形態２を図１０にて説明する．ハンドル部４０４が棒状突起となっており，その他は実施形態１と同様である．
【００１５】
図６，図９のようにそれぞれの位置関係は，外側から外筒２，脊椎経皮的内視鏡本体部分１a，内レトラクター器具４，鉗子３となる．従来では，その位置関係は図５のように作業用内腔１a４内に入るものは鉗子３の一本のみであるが，本発明の場合は内レトラクター器具４と鉗子３を作業用内腔１a４内に挿入する．内レトラクター器具４の厚みの分だけ挿入できる鉗子３の外径は小さいものとなるが頸椎椎間板ヘルニアは小さくて柔らかいため既存の小径の鉗子で十分である．
【図１】
2020022553.tif 000003
【図２】
2020022553.tif 000004
【図３】
2020022553.tif 000005
【図４】
2020022553.tif 000006
【図５】
2020022553.tif 000007
【図６】
2020022553.tif 000008
【図７】
2020022553.tif 000009
【図８】
2020022553.tif 000010
【図９】
2020022553.tif 000011
【図１０】
2020022553.tif 000012